(57)【要約】【課題】複数の接点情報を統計管理情報に処理し統計管理情報を転送し統計管理情報に基づき複数の接点出力を処理する。【解決手段】複数の接点検出装置101-1,101-2から、ネットワーク105を経由して、複数の接点出力装置104-1,104-2にそれぞれ複数の接点情報を転送する接点情報転送システムに、複数の接点検出装置からの複数の接点情報を統計管理情報に処理する統計管理情報送信装置102と、統計管理情報送信装置から、ネットワークを経由して、統計管理情報を受信し、接点出力を処理すべきかを判定し、ネットワークを経由して、複数の接点出力装置の各々に対して複数の接点出力を処理制御する複数の接点出力制御サーバ103-1,103-2を備える。【選択図】図１
2007241891.tif 000002
【特許請求の範囲】
【請求項１】
複数の接点検出装置から、ネットワークを経由して、複数の接点出力装置にそれぞれ複数の接点情報を転送する接点情報転送システムにおいて、
前記複数の接点検出装置からの複数の接点情報を統計管理情報に処理する統計管理情報送信装置と、
前記統計管理情報送信装置から、ネットワークを経由して、統計管理情報を受信し、接点出力を処理すべきかを判定し、ネットワークを経由して、前記複数の接点出力装置の各々に対して複数の接点出力を処理制御する複数の接点出力制御サーバを備えることを特徴とする接点情報転送システム。
【請求項２】
前記統計管理情報送信装置は前記複数の接点検出装置からの複数の接点情報を管理テーブルに保存し、さらに、前記管理テーブルに保存された各接点情報に対して統計管理情報を保存することを特徴とする、請求項１に記載の接点情報転送システム。
【請求項３】
前記統計管理情報は、接点情報の状態変化量、接点の維持継続時間、一定時間内変化回数、グループ化されたセンサーの接点情報の傾向、移動速度、移動方向の情報を含み、各接点情報に対して、接点情報の状態変化量、接点の維持継続時間、一定時間内変化回数、グループ化されたセンサーの接点情報の傾向、移動速度、移動方向の情報の任意の１つに処理すべき統計管理情報を予め決定することを特徴とする、請求項１に記載の接点情報転送システム。
【請求項４】
前記統計管理情報送信装置は、前記複数の接点出力装置の各々からポーリング要求送信がある場合には、前記複数の接点出力装置の各々に統計管理情報を転送し複数の接点出力装置の各々に接点出力を行わせることを特徴とする、請求項１に記載の接点情報転送システム。
【請求項５】
前記統計管理情報送信装置を複数設け、各前記統計管理情報装置は複数の接点検出装置の各々の複数の接点情報に対して統計管理情報の処理を行い、ネットワークを経由して、複数の接点出力装置の各々に統計管理情報を転送することを特徴とする、請求項１に記載の接点情報転送システム。
【請求項６】
前記統計管理情報送信装置は、接点情報の異常診断を行い、障害箇所の特定を行い、該当する複数の接点出力制御サーバの各々に障害箇所の情報を統計管理情報として転送することを特徴とする、請求項１に記載の接点情報転送システム。
【請求項７】
前記統計管理情報送信装置は、グループ化されたセンサーの接点情報の傾向の統計管理情報により、侵入者を察知し、該当する複数の接点出力制御サーバの各々に侵入者の察知情報を統計管理情報として転送することを特徴とする、請求項１に記載の接点情報転送システム。
【請求項８】
複数の接点検出装置から、ネットワークを経由して、複数の接点出力装置にそれぞれ複数の接点情報を転送する接点情報転送方法において、
前記複数の接点検出装置の各々から複数の接点情報を統計管理情報に処理する工程と、
ネットワークを経由して、前記複数の接点検出装置の各々の複数の接点情報について統計管理情報を受信し、複数の接点出力装置の各々に対して複数の接点出力を処理すべきかを判定する工程と、
複数の接点出力装置の各々に対して複数の接点出力を処理すべきとの判定に基づいて、ネットワークを経由して、前記複数の接点出力装置の各々に対して複数の接点出力を処理制御する工程を備えることを特徴とする接点情報転送方法。
【請求項９】
複数の接点検出装置から、ネットワークを経由して、複数の接点出力装置にそれぞれ複数の接点情報を転送する接点情報転送をコンピュータで実行するプログラムにおいて、
前記複数の接点検出装置の各々から複数の接点情報を統計管理情報に処理する手順と、
ネットワークを経由して、前記複数の接点検出装置の各々の複数の接点情報について統計管理情報を受信し、複数の接点出力装置の各々に対して複数の接点出力を処理すべきかを判定する手順と、
複数の接点出力装置の各々に対して複数の接点出力を処理すべきとの判定に基づいて、ネットワークを経由して、前記複数の接点出力装置の各々に対して複数の接点出力を処理制御する手順とを備えることを特徴とする接点情報転送をコンピュータで実行するプログラム。
【請求項１０】
複数の接点検出装置から、ネットワークを経由して、複数の接点出力装置にそれぞれ複数の接点情報を転送するための統計管理情報送信装置において、
前記複数の接点検出装置からの複数の接点情報を統計管理情報に処理し、ネットワークを経由して統計管理情報を送信し、統計管理情報に基づいて複数の接点出力装置の各々の複数の接点出力を処理するための手段と、
前記複数の接点検出装置からの複数の接点情報を管理テーブルに保存する手段と、
前記管理テーブルに保存された前記複数の接点情報に対して前記統計管理処理手段により処理された統計管理情報を保存し更新する手段とを備えることを特徴とする統計管理情報送信装置。
【請求項１１】
複数の接点検出装置から、ネットワークを経由して、複数の接点出力装置にそれぞれ複数の接点情報を転送するための接点出力制御サーバにおいて、
前記複数の接点検出装置からの複数の接点情報が処理された統計管理情報を、ネットワークを経由して受信し、統計管理情報に基づいて複数の接点出力装置の各々の複数の接点出力を処理すべきかを判定する手段と、
ネットワークを経由して、複数の接点出力装置の各々の複数の接点出力を処理すべきとの判定に対して前記複数の接点出力装置の各々に対して複数の接点出力を処理制御する手段とを備えることを特徴とする接点出力制御サーバ。
【発明の詳細な説明】
【技術分野】
【０００１】
本発明は接点情報を転送する接点情報転送システムに関する。特に、本発明は、接点情報を処理した統計管理情報に基づき接点出力を処理する接点情報転送システム、方法、プログラム、接点情報の統計管理情報送信装置及び接点出力制御サーバに関する。
【背景技術】
【０００２】
図９は本発明の前提となる接点情報転送システムの概略例を示すブロック図である。なお、全図を通して同一の構成要素には同一の番号、符号を付して説明を行う。
本図に示すように、接点情報転送システムでは複数の接点検出装置１０１−１、１０１−２、…がネットワーク１０５に接続され、さらに、複数の接点出力装置１０４−１、１０４−２、…が接続される。
【０００３】
複数の接点検出装置１０１−１、１０１−２、…の各々では複数のセンサーの接点情報ａ１、ｂ１、ｃ１、…、複数のセンサーの接点情報ａ２、ｂ２、ｃ２、…が発生し、複数の接点出力装置１０４−１、１０４−２の各々には複数のセンサーの接点出力ｘ１、ｙ１、…、複数のセンサーの接点出力ｘ２、ｙ２、…、が処理される。
上記接点情報転送システムでは、接点検出装置１０１−１、１０１−２、…と接点出力装置１０４−１、１０４−２、…が１対１に対向し、接点検出装置１０１−１、１０１−２、…で検出した複数の接点情報ａ１、ｂ１、ｃ１、…、複数の接点情報ａ２、ｂ２、ｃ２、…、がそのまま接点出力装置１０４−１、１０４−２、…に転送され接点出力装置１０４−１、１０４−２、…で複数の接点出力ｘ１、ｙ１、…、複数の接点出力ｘ２、ｙ２、…が処理される。
【０００４】
しかしながら、上記接点情報転送システムでは、例えば、接点出力装置１０４−１、接点出力装置１０４−２で複数の接点出力ｘ１、ｙ１、…複数の接点出力ｘ２、ｙ２、…が処理された場合、接点検出装置１０１−１、接点検出装置１０１−２で検出した複数の接点情報ａ１、ｂ１、ｃ１、…複数の接点情報ａ２、ｂ２、ｃ２…が、例えば、どのように変化していたかについて、すなわち、接点情報を処理した統計管理情報に基づいて、接点出力装置１０４−１、１０４−２、…で複数の接点出力ｘ１、ｙ１、…、複数の接点出力ｘ２、ｙ２、…を処理したいという課題がある。
【０００５】
これに対して、上記接点情報転送システムでは、専用ハードウエアとなっており、ユーザが統計管理情報追加する機能を追加することは困難であり、監視システムに統計管理情報を取り入れるようとしても、ハードウエアの制約を受け、希望通りのシステムが構築できないという問題がある。
また、接点出力装置１０４−１、接点出力装置１０４−２に対してそれぞれ受信した複数の接点情報ａ１、ｂ１、ｃ１、…、接点情報ａ２、ｂ２、ｃ２、…を個別に統計管理情報に処理することは煩雑であるという問題がある。
【０００６】
このような本発明の前提となる接点情報転送システムに関連して以下の従来技術がある。
従来、端末装置に表示される監視接点の状態情報が現在の監視接点の状態に即応できるようにすることを目的として、中央処理装置が、端末装置から全状態情報要求を受けたとき、マスタ処理が中央処理装置内の監視接点テーブルから状態情報を読み出した後、中央処理装置内の補助記憶装置をアクセスせずに状態情報を編集して端末装置に送信するように構成するものがある（例えば、特許文献１参照）。
【０００７】
しかしながら、上記特許文献１では、端末装置から全状態情報要求を受けたとき、監視接点テーブルから状態情報を読み出した後、状態情報を編集して端末装置に送信するものであるが、複数の接点情報を統計管理情報に処理し統計管理情報を転送し統計管理情報に基づき複数の接点出力を処理するものではない。
また、従来、監視制御対象機器の状態を示す接点情報を受信する情報収集装置と、当該情報を入力し各種演算を行う業務処理装置で分散構成された監視制御システムにおいて、情報等化時間の短縮と等化時負荷の低減を図った情報等化処理方法を提供するため、情報収集装置に監視対象の標準接点状態を、業務処理装置に監視対象の標準接点状態および派生する接点状態を各々記憶させ、状態情報等化時は、まず業務処理装置で標準状態ロードを行い、情報収集装置は状態等化要求に対して標準状態と比較を行い、不一致を状変送信し、そして、不一致分状変を受信し、不一致分状態と不一致分派生状態を更新するものがある（例えば、特許文献２参照）。
【０００８】
しかしながら、上記特許文献２では、監視制御対象機器の状態を示す接点情報を受信し、当該情報を入力し各種演算を行うものであるが、前述のように、複数の接点情報を統計管理情報に処理し統計管理情報を転送し統計管理情報に基づき複数の接点出力を処理するものではない。
また、従来、障害発生から障害の状況通知までの時間を短縮し、障害時の対応を迅速に行うことを可能にするため、接点情報読み込み手段はネットワーク状態情報表示パネルより予め決められた周期で予め決められた時間機器の接点状態を読み込み、接点情報判定手段は読み込んだ接点情報のパターンから予め決められたアルゴリズムにより現在の接点の状態を判定し現在の接点状態が過去の接点状態を保持する接点状態退避テーブルにおける接点の状態と異なった場合に障害情報出力指示を出力するとともに接点状態退避テーブル内容を現在の接点状態に更新し、障害情報編集手段は障害情報出力指示を受けて現在の接点状態を機器接点対応ファイルから取り出した接点対応機器情報を用いて端末表示形式に編集し障害情報通知手段を介して端末に通知するものがある（例えば、特許文献３参照）。
【０００９】
しかしながら、上記特許文献３では、現在の接点の状態を判定し現在の接点状態が過去の接点状態を保持する接点状態退避テーブルにおける接点の状態と異なった場合に障害情報出力指示を出力するとともに接点状態退避テーブル内容を現在の接点状態に更新するものであるが、前述のように、複数の接点情報を統計管理情報に処理し統計管理情報を転送し統計管理情報に基づき複数の接点出力を処理するものではない。
【００１０】
また、従来、ネットワークを介して遠隔制御を行うため、スイッチが発生した接点情報をネットワーク介して送受信装置が送信し、ネットワークを介して前記接点情報を送受信装置が受信し、送受信装置に付属する増幅器が、前記接点情報に基づいて電源供給状態または電源非供給状態とされるものがある（例えば、特許文献４参照）。
しかしながら、上記特許文献４では、スイッチが発生した接点情報をネットワーク介して送受信装置が送信し、ネットワークを介して前記接点情報を送受信装置が受信するものであるが、前述のように、複数の接点情報を統計管理情報に処理し統計管理情報を転送し統計管理情報に基づき複数の接点出力を処理するものではない。
【００１１】
【特許文献１】特開平０２−２４２３４８号公報
【特許文献２】特開平０９−２９３０２９号公報
【特許文献３】特開平０５−０２２２９２号公報
【特許文献４】特開２００４−１５３３５８号公報
【発明の開示】
【発明が解決しようとする課題】
【００１２】
したがって、本発明は上記課題に鑑みて、複数の接点情報を統計管理情報に処理し統計管理情報を転送し統計管理情報に基づき複数の接点出力を処理する接点情報転送システム、方法、プログラム及び接点情報の統計管理情報送信装置を提供することを目的とする。
【課題を解決するための手段】
【００１３】
本発明は前記問題点を解決するために、複数の接点検出装置から、ネットワークを経由して、複数の接点出力装置にそれぞれ複数の接点情報を転送する接点情報転送システムにおいて、前記複数の接点検出装置からの複数の接点情報を統計管理情報に処理する統計管理情報送信装置と、前記統計管理情報送信装置から、ネットワークを経由して、統計管理情報を受信し、接点出力を処理すべきかを判定し、ネットワークを経由して、前記複数の接点出力装置の各々に対して複数の接点出力を処理制御する複数の接点出力制御サーバを備えることを特徴とする接点情報転送システムを提供する。
【００１４】
さらに、前記統計管理情報送信装置は前記複数の接点検出装置からの複数の接点情報を管理テーブルに保存し、さらに、前記管理テーブルに保存された各接点情報に対して統計管理情報を保存する。
さらに、前記統計管理情報は、接点情報の状態変化量、接点の維持継続時間、一定時間内変化回数、グループ化されたセンサーの接点情報の傾向、移動速度、移動方向の情報を含み、各接点情報に対して、接点情報の状態変化量、接点の維持継続時間、一定時間内変化回数、グループ化されたセンサーの接点情報の傾向、移動速度、移動方向の情報の任意の１つに処理すべき統計管理情報を予め決定する。
【００１５】
さらに、前記統計管理情報送信装置は、前記複数の接点出力装置の各々からポーリング要求送信がある場合には、前記複数の接点出力装置の各々に統計管理情報を転送し複数の接点出力装置の各々に接点出力を行わせる。
さらに、前記統計管理情報送信装置を複数設け、各前記統計管理情報装置は複数の接点検出装置の各々の複数の接点情報に対して統計管理情報の処理を行い、ネットワークを経由して、複数の接点出力装置の各々に統計管理情報を転送する。
【００１６】
さらに、前記統計管理情報送信装置は、接点情報の異常診断を行い、障害箇所の特定を行い、該当する複数の接点出力制御サーバの各々に障害箇所の情報を統計管理情報として転送する。
さらに、前記統計管理情報送信装置は、グループ化されたセンサーの接点情報の傾向の統計管理情報により、侵入者を察知し、該当する複数の接点出力制御サーバの各々に侵入者の察知情報を統計管理情報として転送する。
【００１７】
さらに、本発明は、複数の接点検出装置から、ネットワークを経由して、複数の接点出力装置にそれぞれ複数の接点情報を転送する接点情報転送方法において、前記複数の接点検出装置の各々から複数の接点情報を統計管理情報に処理する工程と、ネットワークを経由して、前記複数の接点検出装置の各々の複数の接点情報について統計管理情報を受信し、複数の接点出力装置の各々に対して複数の接点出力を処理すべきかを判定する工程と、複数の接点出力装置の各々に対して複数の接点出力を処理すべきとの判定に基づいて、ネットワークを経由して、前記複数の接点出力装置の各々に対して複数の接点出力を処理制御する工程を備えることを特徴とする接点情報転送方法を提供する。
【００１８】
さらに、複数の接点検出装置から、ネットワークを経由して、複数の接点出力装置にそれぞれ複数の接点情報を転送する接点情報転送をコンピュータで実行するプログラムにおいて、前記複数の接点検出装置の各々から複数の接点情報を統計管理情報に処理する手順と、ネットワークを経由して、前記複数の接点検出装置の各々の複数の接点情報について統計管理情報を受信し、複数の接点出力装置の各々に対して複数の接点出力を処理すべきかを判定する手順と、複数の接点出力装置の各々に対して複数の接点出力を処理すべきとの判定に基づいて、ネットワークを経由して、前記複数の接点出力装置の各々に対して複数の接点出力を処理制御する手順とを備えることを特徴とする接点情報転送をコンピュータで実行するプログラムを提供する。
【００１９】
さらに、本発明は、複数の接点検出装置から、ネットワークを経由して、複数の接点出力装置にそれぞれ複数の接点情報を転送するための統計管理情報送信装置において、前記複数の接点検出装置からの複数の接点情報を統計管理情報に処理し、ネットワークを経由して統計管理情報を送信し、統計管理情報に基づいて複数の接点出力装置の各々の複数の接点出力を処理するための手段と、前記複数の接点検出装置からの複数の接点情報を管理テーブルに保存する手段と、前記管理テーブルに保存された前記複数の接点情報に対して前記統計管理処理手段により処理された統計管理情報を保存し更新する手段とを備えることを特徴とする統計管理情報送信装置を提供する。
【００２０】
さらに、本発明は、複数の接点検出装置から、ネットワークを経由して、複数の接点出力装置にそれぞれ複数の接点情報を転送するための接点出力制御サーバにおいて、前記複数の接点検出装置からの複数の接点情報が処理された統計管理情報を、ネットワークを経由して受信し、統計管理情報に基づいて複数の接点出力装置の各々の複数の接点出力を処理すべきかを判定する手段と、ネットワークを経由して、複数の接点出力装置の各々の複数の接点出力を処理すべきとの判定に対して前記複数の接点出力装置の各々に対して複数の接点出力を処理制御する手段とを備えることを特徴とする接点出力制御サーバを提供する。
【発明の効果】
【００２１】
以上説明したように、本発明によれば、複数の接点検出装置の各々から複数の接点情報を統計管理情報に処理し、ネットワークを経由して、複数の接点検出装置の各々の複数の接点情報について統計管理情報を受信し、複数の接点出力装置の各々に対して複数の接点出力を処理すべきかを判定し、複数の接点出力装置の各々に対して複数の接点出力を処理すべきとの判定に基づいて、ネットワークを経由して、複数の接点出力装置の各々に対して複数の接点出力を処理制御するようにしたので、接点情報の状態変化量だけでなく、接点の維持継続時間、一定時間内変化回数、グループ化されたセンサーの接点情報の傾向、移動速度、移動方向を含む統計管理情報を転送することが可能になり、さらに、ポーリングにより接点情報の統計管理情報が転送可能となり、統計管理情報に基づき接点出力処理が可能になった。
【発明を実施するための最良の形態】
【００２２】
以下、本発明の実施の形態について図面を参照して説明する。
図１は本発明に係る接点情報転送システムの概略を示す構成図である。本発明に係る接点情報転送システムはコンピュータで実行するプログラム制御で動作し、本図に示すように、図５と比較して、接点情報転送システムでは、複数の接点検出装置１０１−１、１０１−２、…には統計管理情報送信装置１０２が接続され、統計管理情報送信装置１０２は、複数の接点検出装置１０１−１、１０１−２、…から複数の接点情報ａ１、ｂ１、ｃ１、…、複数の接点情報ａ２、ｂ２、ｃ２、…を、有線又は無線等の通信回線を通じて、転送される。
【００２３】
統計管理情報送信装置１０２はＣＰＵ（中央処理装置）等を実装したＬｉｎｕｘＢＯＸ又はパーソナルコンピュータ（ＰＣ）等の処理機能を搭載した装置であり、接点検出装置１０１にて検出した接点情報の取り込んだ接点情報を統計管理情報に処理する処理プログラムを内蔵し、処理した統計管理情報を送信するインタフェースを有する。
統計管理情報送信装置１０２には統計管理情報蓄積メモリ１０２Ａが付設され、統計管理情報蓄積メモリ１０２Ａは統計管理情報送信装置１０２が取り込んだ接点情報を保存し、更新し、統計管理情報送信装置１０２が処理した統計管理情報を保存し更新する。
【００２４】
統計管理情報送信装置１０２には、ネットワーク１０５を経由して、上位送信先装置である複数の接点出力制御サーバ１０３−１、１０３−２、…が接続され、複数の接点出力制御サーバ１０３−１、１０３−２、…は接点検出装置１０１−１、１０１−２、…とそれぞれ１対１で対向し、統計管理情報送信装置１０２から送信されてきた統計管理情報により複数の接点出力装置１０４−１、１０４−２、…にネットワーク１０５を経由して接点出力処理指令をそれぞれ転送する機能を有する。
【００２５】
複数の接点出力装置１０４−１、１０４−２、…は複数の接点出力制御サーバ１０３−１、１０３−２、…からそれぞれ接点出力処理指令を受信した場合、接点出力を制御処理する。
図２は図１における統計管理情報送信装置１０２が処理する統計管理情報例を示す図である。統計管理情報送信装置１０２に転送される接点情報には、本図（ａ）の状態変化に対して状態変化量、本図（ｂ）の接点の維持継続時間、本図（ｃ）の一定時間内変化回数、本図（ｄ）のグループ化されたセンサーの接点情報の傾向、本図（ｅ）の移動速度、本図（ｆ）の移動方向等の統計管理情報が含まれているので、接点情報の内容に応じて、接点情報を統計管理情報に処理する。
【００２６】
本図（ｄ）のグループ化されたセンサーの接点情報の傾向の例として、順番に時刻Ｔ１に第１の接点情報に変化が発生し、時刻Ｔ２に第２の接点情報に変化が発生し、時刻Ｔ３に第３の接点情報に変化が発生し、発生した時間間隔Ｔ２−Ｔ１、Ｔ３−Ｔ２が一定の要件を満たすような場合である。
図３は図１における統計管理情報蓄積メモリ１０２Ａに保存される接点情報を説明する図である。本図に示すように、統計管理情報蓄積メモリ１０２Ａに保存される複数の接点情報ａ１、ｂ１、ｃ１、…、複数の接点情報ａ２、ｂ２、ｃ２、…は接点検出装置１０１−１、１０１−２毎に管理テーブルに保存される。
【００２７】
図４は図１における統計管理情報蓄積メモリ１０２Ａに保存される統計管理情報を説明する図である。本図に示すように、一例として、統計管理情報蓄積メモリ１０２Ａには、接点検出装置１０１−１の複数の接点情報ａ１、ｂ１、ｃ１、…に対して、統計管理情報として、図２（ａ）に示す状態変化量、図２（ｂ）に示す接点の維持継続時間、図２（ｃ）に示す一定時間変化回数が保存され、接点検出装置１０１−２の複数の接点情報ａ２（Ｔ１）、ｂ２（Ｔ２）、ｃ２（Ｔ３）に対して、統計管理情報として、グループ化されたセンサーの接続情報の傾向が保存される。ここで、接点情報ａ２（Ｔ１）は時刻Ｔ１に変化が発生したことを意味し、同様に、接点情報ｂ２（Ｔ２）は時刻Ｔ２に変化が発生したことを意味し、接点情報ｃ２（Ｔ３）は時刻Ｔ３に変化が発生したことを意味する。統計管理情報は時間間隔Ｔ２−Ｔ１、Ｔ３−Ｔ２となる。
【００２８】
このように、複数の接点情報ａ１、ｂ１、ｃ１、…、複数の接点情報ａ２、ｂ２、ｃ２、…の各々に対しては、どのような統計管理情報に処理すべきかが予め取り決められている。
図５は図１における複数の接点出力制御サーバ１０３−１、１０３−２、…の各々の接点出力処理判定を説明する図である。本図（ａ）に示すように、接点出力制御サーバ１０３−１では、接点出力処理判定レベルａ１０、ｂ１０、ｃ１０、…を有し、接点出力制御サーバ１０３−１の接点情報ａ１、ｂ１、ｃ１、…について統計管理情報送信装置１０２から送信されてきた状態変化量の統計管理情報に対して、接点出力処理判定レベルａ１０、ｂ１０、ｃ１０、…を用いて接点出力処理判定を行う。例えば、設定出力判定において、接点出力処理判定レベルａ１０、ｂ１０、ｃ１０、…を満たす場合には、接点出力制御サーバ１０３−１の接点情報ａ１、ｂ１、ｃ１、…に対する接点出力ｘ１、ｙ１、ｚ１の処理を行う。
【００２９】
本図（ｂ）に示すように、接点出力制御サーバ１０３−２では、接点出力処理判定レベルΔＴ２１、ΔＴ３２、…を有し、接点出力制御サーバ１０３−１の接点情報ａ１（Ｔ１）、ｂ１（Ｔ２）、ｃ１（Ｔ３）、…について統計管理情報送信装置１０２から送信されてきた時間間隔Ｔ２−Ｔ１、Ｔ３−Ｔ２、…の統計管理情報に対して、接点出力処理判定レベルΔＴ２１、ΔＴ３２、…を用いて接点出力処理判定を行う。例えば、設定出力判定において、接点出力処理判定レベルＴ２−Ｔ１、Ｔ３−Ｔ２、…を満たす場合には、接点出力制御サーバ１０３−１の接点情報ａ２、ｂ２、ｃ２、…に対する接点出力ｘ２、ｙ２の処理を行う。
【００３０】
図６は図１における統計管理情報送信装置１０２の動作例を説明するフローチャートである。本図に示すように、ステップＳ２０１において、統計管理情報送信装置１０２では、接点情報の入力の有無を判断する。無い場合にはステップＳ２０８に進む。
ステップＳ２０２において、接点情報の入力が有る場合には複数の接点検出装置１０１−１、１０１−２、…、のどれから入力したか否かを認識する。
【００３１】
ステップＳ２０３において、複数の接続情報ａ１、ｂ１、ｃ１、…、複数の接続情報ａ２、ｂ２、ｃ２、…、のどれが入力したかを認識する。
ステップＳ２０４において、認識された接続情報を統計管理情報蓄積メモリ１０２Ａの管理テーブルに保存する。
ステップＳ２０５において、認識された複数の接続情報ａ１、ｂ１、ｃ１、…、複数の接続情報ａ２、ｂ２、ｃ２、…、に対して予め取り決められた処理方法で統計管理情報の処理を行う。
【００３２】
ステップＳ２０６において、複数の接続情報ａ１、ｂ１、ｃ１、…、複数の接続情報ａ２、ｂ２、ｃ２、…、に対して処理した統計管理情報を統計管理情報蓄積メモリ１０２Ａに保存する。
ステップＳ２０７において、複数の接続情報ａ１、ｂ１、ｃ１、…、複数の接続情報ａ２、ｂ２、ｃ２、…、に対して処理した統計管理情報を該当する接点出力制御サーバ１０３−１、１０３−２、…に転送し、処理を終了する。
【００３３】
ステップＳ２０８において、複数の接点出力制御サーバ１０３−１、１０３−２、…からポーリング要求送信の有無を判断し、有りの場合にはステップＳ２０７に進み、無しの場合には処理を終了する。
図７は図１における複数の接点出力制御サーバ１０３−１、１０３−２、…の各々の動作例を説明するフローチャートである。本図に示すように、ステップＳ２１１において、複数の接点出力制御サーバ１０３−１、１０３−２、…の各々は、ユーザより統計管理情報送信装置１０２に対してポーリング要求の有無を判断する。無い場合にはステップＳ２１３に進む。
【００３４】
ステップＳ２１２において、有りの場合には、統計管理情報送信装置１０２に対して、複数の接点出力制御サーバ１０３−１、１０３−２、…の各々はポーリング要求を送信する。
ステップＳ２１３において、複数の接点出力制御サーバ１０３−１、１０３−２、…の各々は統計管理情報送信装置１０２から統計管理情報受信の有無を判断する。無しの場合には処理を終了する。
【００３５】
ステップＳ２１４において、複数の接点出力制御サーバ１０３−１、１０３−２、…の各々では、統計管理情報の受信が有る場合には、受信した統計管理情報に対して接点出力処理の判定を行う。接点出力判定を満たさない場合には処理を終了する。
ステップＳ２１５において、接点出力判定を満たす場合には、複数の接点出力制御サーバ１０３−１、１０３−２、…の各々から複数の接点出力装置１０４−１、１０４−２、…のうち該当するものに対して設定出力指令送信を行い、処理を終了する。
【００３６】
図８は図１における複数の接点出力装置１０４−１、１０４−２、…の各々の動作例を説明するフローチャートである。
本図に示すように、ステップＳ２２１において、複数の接点出力装置１０４−１、１０４−２、…の各々で接点出力処理指令受信の有無を判断する。無しの場合には処理を終了する。
【００３７】
ステップＳ２２２において、接点出力処理指令受信が有る場合には複数の接点出力装置１０４−１、１０４−２、…の各々では接点出力を処理し、処理を終了する。
したがって、本発明によれば、接点情報の状態変化量だけでなく、接点の維持継続時間、一定時間内変化回数、グループ化されたセンサーの接点情報の傾向、移動速度、移動方向を含む統計管理情報を転送することが可能になり、さらに、ポーリングにより接点情報の統計管理情報が転送可能となり、統計管理情報に基づき接点出力処理が可能になった。
【００３８】
さらに、接点検出装置１０１−１、１０１−２、…と上位転送先装置である接点出力制御サーバ１０３−１、１０３−２、…がそれぞれ１対１に対向し、統計管理情報送信装置を接点検出装置と接点出力制御サーバ１０３−１、１０３−２、…の間に挿入するので、接点出力制御サーバ１０３−１、１０３−２、…は接点検出装置に対するインタフェースが不要となり全体として構成を簡素化できる。
【００３９】
統計管理情報送信装置と複数の接点出力制御サーバ１０３−１、１０３−２、…の間は一律のメカニズムで通信されるため上位転送先装置である接点出力制御サーバ１０３−１、１０３−２、…のアプリケーションの作り込みが容易に可能となる。
【実施例１】
【００４０】
以上の説明では、図１において、ネットワーク１０５に接続される統計管理情報送信装置１０２は１つとしたが、複数が接続されるようにしてもよい。接点検出装置１０１−１、１０１−２、…が離れた場所に分散する場合には複数の統計管理情報送信装置１０２に分割して接続されることにより本発明の適用が可能となる。
【実施例２】
【００４１】
遠隔機器監視に本発明の接点情報転送システムを適用する場合に、統計管理情報送信装置１０２にて、接点情報の異常診断を行い、障害箇所の特定を行う。これにより、複数の接点出力制御サーバ１０３−１、１０３−２、…側に障害箇所の特定を行う判定機能を持たせる必要がなくなる。
【実施例３】
【００４２】
侵入者に対するビル監視においては、統計管理情報送信装置１０２にて、グループ化されたセンサーの接点情報の傾向により、侵入者を察知することが可能になる。これにより、複数の接点出力制御サーバ１０３−１、１０３−２、…側に侵入者に対するビル監視を行う判定機能を持たせる必要がなくなる。
さらに、ビル監視において、警備員室が複数ある場合、各警備員室に接点出力制御サーバを設けることにより、統計管理情報送信装置１０２から同じ情報を多地点に同報することが可能になる。
【実施例４】
【００４３】
統計管理情報送信装置１０２に内蔵する処理プログラムを変更するだけで、既存のアプリケーションへの連携も、アプリケーション側の変更がなく行える。
【図面の簡単な説明】
【００４４】
【図１】本発明に係る接点情報転送システムの概略を示す構成図である。
【図２】図１における統計管理情報送信装置１０２が処理する統計管理情報例を示す図である。
【図３】図１における統計管理情報蓄積メモリ１０２Ａに保存される接点情報を説明する図である。
【図４】図１における統計管理情報蓄積メモリ１０２Ａに保存される統計管理情報を説明する図である。
【図５】図１における複数の接点出力制御サーバ１０３−１、１０３−２、…の各々の接点出力処理判定を説明する図である。
【図６】図１における統計管理情報送信装置１０２の動作例を説明するフローチャートである。
【図７】図１における複数の接点出力制御サーバ１０３−１、１０３−２、…の各々の動作例を説明するフローチャートである。
【図８】図１における複数の接点出力装置１０４−１、１０４−２、…の各々の動作例を説明するフローチャートである。
【図９】本発明の前提となる接点情報転送システムの概略例を示すブロック図である。
【符号の説明】
【００４５】
１０１−１、１０１−２…接点検出装置
１０２…統計管理情報送信装置
１０２Ａ…統計管理情報蓄積メモリ
１０３−１、１０３−２…接点出力制御サーバ
１０４−１、１０４−２…接点出力装置
１０５…ネットワーク
【図１】
2007241891.tif 000003
【図２】
2007241891.tif 000004
【図３】
2007241891.tif 000005
【図４】
2007241891.tif 000006
【図５】
2007241891.tif 000007
【図６】
2007241891.tif 000008
【図７】
2007241891.tif 000009
【図８】
2007241891.tif 000010
【図９】
2007241891.tif 000011